(57)【要約】      （修正有）【課題】タブレット型の携帯式電子装置をユーザーの腕に固定して、片手で便利に操作できる固定装置を提供する。【解決手段】固定装置１００は、ユーザと直接に接触する装着部品１０と、連接部品２０と、電子装置固定部品３０と、を備える。連接部品２０は、装着部品１０に回転可能に取り付けられる。電子装置固定部品３０は、連接部品２０の一端に取り付けられる。【選択図】図１
2015104124.tif 000002
【特許請求の範囲】
【請求項１】
装着部品、連接部品、及び電子装置固定部品を備える固定装置であって、
前記連接部品は、前記装着部品に回転可能に取り付けられ、前記電子装置固定部品は、前記連接部品の一端に固定されることを特徴とする固定装置。
【請求項２】
前記装着部品は、フレキシブル帯体及び前記フレキシブル帯体の上面に設けられている台座を含み、前記台座の上面には、互いに間隔をあけて円環状に配列されている複数の凹溝が設けられ、
前記連接部品は、係合部を備え、前記係合部の一方の側の表面には、互いに間隔をあけて円環状に配列されている複数の突起が設けられ、各突起は、前記複数の凹溝のそれぞれの中に嵌合されることを特徴とする請求項１に記載の固定装置。
【請求項３】
前記台座の中央部には、収容部が設けられ、前記装着部品は、弾性部材をさらに備え、前記弾性部材の一端は、前記収容部内に固定され、前記弾性部材の他端は、前記連接部品の前記係合部に固定されることを特徴とする請求項２に記載の固定装置。
【請求項４】
前記連接部品は、前記係合部における前記突起の反対側の表面に固定された円筒体をさらに備え、
前記電子装置固定部品は、取付部を備え、前記取付部は、順次に連接されているヘッド部、首部及びベース部を含み、前記円筒体は、内面に複数の係止ブロックが設けられた収容空洞部を備え、前記ヘッド部及び前記首部は、前記収容空洞部内に収容され、前記係止ブロックは、前記ヘッド部の一端の表面に当接されて、前記ヘッド部を前記収容空洞部の中に係止することを特徴とする請求項３に記載の固定装置。
【請求項５】
前記電子装置固定部品は、携帯式電子装置を収容して固定するための筐体をさらに備え、前記取付部の前記ベース部は、前記筐体に固定連接されることを特徴とする請求項４に記載の固定装置。
【請求項６】
前記連接部品は、スリーブ、移動板及び固定板を備え、前記スリーブの一端には、収容凹所が設けられ、前記移動板及び前記固定板の中央部には、それぞれ貫通孔が設けられ、
前記電子装置固定部品は、嵌合部を備え、前記嵌合部は、前記移動板の前記貫通孔及び前記固定板の前記貫通孔を貫通して前記収容凹所の中に収容されることを特徴とする請求項１に記載の固定装置。
【請求項７】
前記スリーブの外面には、前記スリーブの側壁を円周方向に沿って貫通した弧状スロットが設けられ、前記スリーブにおける前記弧状スロットが位置する側の反対側には、装着用スロットが設けられ、前記固定板は、前記装着用スロット内に固定され、前記移動板は、前記弧状スロット内に収容され、
前記固定板の一端には、スプリングが装着され、前記移動板の一端には、固定孔が設けられ、前記スプリングの一端が前記固定孔内に掛けられて固定されることによって、前記移動板は、前記固定板に連接され且つ前記固定板に対して移動可能になることを特徴とする請求項６に記載の固定装置。
【請求項８】
前記電子装置固定部品は、前記嵌合部の一端に設けられて、携帯式電子装置を吸着して固定するための吸盤をさらに備えることを特徴とする請求項７に記載の固定装置。
【発明の詳細な説明】
【技術分野】
【０００１】
本発明は、固定装置に関し、特に携帯式電子装置を手に持つのに便利な固定装置に関するものである。
【背景技術】
【０００２】
スマートフォン、タブレットＰＣ等、現在人々に広く普及しており、これら携帯式電子装置を持ち歩くことで、どの場所においても、又はどの時間においても使用することができる。携帯式電子装置を操作する場合、ユーザは、通常片手で携帯式電子装置を直接握って、もう一方の手で携帯式電子装置を操作する。しかし、例えば、バスの中で吊革につかまって立っている通勤者にとって、バスが走行している最中は吊革にしっかりとつかまって、体のバランスをとらなければならない。このような場合、一方の手で電子装置を握って、もう一方の手で電子装置を操作するのは、非常に困難であり、且つ危険である。
【０００３】
近年、大型のタブレットＰＣの保護ケースの背面に取っ手を設けて、携帯式電子装置を腕等に固定することによって、片手で携帯式電子装置を操作できる設計が出現しているが、既存の設計は、携帯式電子装置の固定が不安定であったり、使用角度が制限されていたり又は費用が高すぎる等の欠点がある。
【発明の概要】
【発明が解決しようとする課題】
【０００４】
以上の問題点に鑑みて、本発明は、片手でタブレット型の携帯式電子装置を便利に操作できる固定装置を提供することを目的とする。
【課題を解決するための手段】
【０００５】
上記の課題を解決するために、本発明に係る固定装置は、装着部品、連接部品、及び電子装置固定部品を備え、連接部品は、装着部品に回転可能に取り付けられ、電子装置固定部品は、連接部品の一端に固定される。
【発明の効果】
【０００６】
従来の技術と異なり、本発明の固定装置は、構造が簡単であり、且つ装着部品をユーザの腕、脚等の部位に装着できる。従って、ユーザはバスに乗る等の際、携帯式電子装置を握る必要はなく、片手で携帯式電子装置を便利に操作することができる。また、ユーザは室外でランニング等の運動をする際、携帯式電子装置をユーザの体に固定することで、携帯式電子装置を容易に持ち歩くことができ、携帯式電子装置の紛失を防止できる。さらに、本発明の固定装置をユーザの体だけでなく、他の設備又は物体等に固定しても良い。例えば、トレッドミル等に固定してもよい。これにより、ユーザは、両手を使用せずとも携帯式電子装置の表示画面をいつでも見ることができる。また、本発明の固定装置の連接部品は、ボールジョイントによってフレキシブル帯体の台座と回転可能に組み立てられるため、連接部品を回転することによって、携帯式電子装置の角度を容易に調整して、ユーザに優位な使用体験を与えることができる。
【図面の簡単な説明】
【０００７】
【図１】本発明の第一実施形態に係る固定装置の分解斜視図である。
【図２】図１に示した固定装置を別の視点から見た分解斜視図である。
【図３】図１に示した固定装置の組立斜視図である。
【図４】図３に示した固定装置のＩＶ−ＩＶ線に沿った断面図である。
【図５】本発明の第二実施形態に係る固定装置の分解斜視図である。
【図６】図５に示した固定装置を別の視点から見た分解斜視図である。
【図７】図５に示した固定装置の組立斜視図である。
【図８】図７に示した固定装置のＶＩＩＩ−ＶＩＩＩ線に沿った断面図である。
【発明を実施するための形態】
【０００８】
図１に示すように、本発明の第一実施形態に係る固定装置１００は、携帯式電子装置をユーザの腕に固定して、ユーザの携帯式電子装置に対する片手操作を実現する。固定装置１００は、ユーザと直接に接触する装着部品１０と、連接部品２０と、電子装置固定部品３０と、を備える。連接部品２０は、装着部品１０に回転可能に取り付けられる。電子装置固定部品３０は、連接部品２０の一端に取り付けられる。
【０００９】
装着部品１０は、フレキシブル帯体１１と、フレキシブル帯体１１の上面に設けられている台座１３と、を含む。フレキシブル帯体１１は、フレキシブル金属、布、皮或いは他の材料により製造されたリストバンドであり、ユーザの腕に装着して使用される。フレキシブル帯体１１をユーザの腕に強固に且つ安定的に固定して、固定装置１００がユーザの腕から離脱するのを防止するために、フレキシブル帯体１１の対向する両端には防脱構造（図示せず）がそれぞれ設けられている。また好ましくは、フレキシブル帯体１１を異なるユーザの腕のサイズに合わせるために、フレキシブル帯体１１の両端における異なる部分に防脱構造をそれぞれ設けることもできる。
【００１０】
台座１３は、ほぼ円盤状を呈し、且つフレキシブル帯体１１の上面に設けられている。また、台座１３の上面には、複数の半球状の凹溝１３１が台座１３の円周方向に沿って互いに間隔をあけて設けられている。台座１３の中央部には、収容部１３２が設けられており、複数の凹溝１３１は、収容部１３２を取り囲むように設けられている。収容部１３２には、弾性部材１３３が装着されている。弾性部材１３３の一端は、収容部１３２の底壁に固定されており、弾性部材１３３の他端は、台座１３の上面から突出して、連接部品２０の底面に固定される。本実施形態において、弾性部材１３３は、スプリングである。連接部品２０を台座１３に取り付けた際、連接部品２０は弾性部材１３３を圧縮する。連接部品２０を装着部品１０から取り外す際、弾性部材１３３は弾性復帰して、連接部品２０を外側へ突き上げる。これにより、ユーザは、連接部品２０を台座１３から容易に取り外すことができる。
【００１１】
図２を併せて参照すると、連接部品２０は、係合部２１と、係合部２１の一方の側の表面に固定されている円筒体２３と、を含む。係合部２１における円筒体２３の反対側の表面には、互いに間隔をあけて円環状に配列されている複数の半球状の突起２１１が設けられている。突起２１１の数は、凹溝１３１の数と同じである。連接部品２０を台座１３に取り付ける場合、複数の突起２１１をそれぞれ１つの凹溝１３１内に嵌合させる。連接部品２０は、円筒体２３を介して電子装置固定部品３０に連接される。本実施形態において、円筒体２３は、電子装置固定部品３０と互いに係合することによって一体に連接される。
【００１２】
円筒体２３は、中空の円柱体であり、収容空洞部２３１を備える。収容空洞部２３１の内面には、複数の係止ブロック２３３が設けられている。各係止ブロック２３３は、弾性ゴムにより製造され、且つ楔形状に成形されている。
【００１３】
図４を併せて参照すると、電子装置固定部品３０は、筐体３３と、筐体３３の一方の側の表面に設けられている取付部３１と、を備える。筐体３３は、電子装置を収容することに用いられる。取付部３１は、連接部品２０の円筒体２３の中に固定される。より詳細には、取付部３１は、順次に連接されているヘッド部３１１、首部３１３、及びベース部３１５を含む。ヘッド部３１１及び首部３１３は、円筒体２３の収容空洞部２３１の中に収容される。ベース部３１５は、筐体３３の一方の側の中央部に固定されて連接されている。本実施形態において、ヘッド部３１１の直径は、首部３１３の直径より大きいが、収容空洞部２３１の開口の直径よりやや小さい。ヘッド部３１１及び首部３１３が収容空洞部２３１内に挿入される際、ヘッド部３１１は、先ず収容空洞部２３１の内面の係止ブロック２３３の楔形面に当止されるが、ヘッド部３１１がさらに挿入されるに伴い、係止ブロック２３３は押圧されて変形する。ヘッド部３１１が係止ブロック２３３を超えると、係止ブロック２３３は弾性復帰して、ヘッド部３１１の上方へ突出して、ヘッド部３１１を収容空洞部２３１の中に係止する。この際、電子装置固定部品３０の取付部３１は、連接部品２０と一体に組み立てられる。
【００１４】
また、本発明の他の実施形態において、円筒体２３は、吸着の方式によって電子装置固定部品３０と互いに連接される。例えば、円筒体２３の内面に磁性部品等を設けて、円筒体２３により、電子装置固定部品３０を緊密に且つ強固に吸着する。
【００１５】
固定装置１００を組み立てる場合、先ず、連接部品２０の係合部２１を装着部品１０の台座１３に取り付ける。続いて、携帯式電子装置を電子装置固定部品３０の筐体３３内に収容し固定する。最後に、電子装置固定部品３０の取付部３１を連接部品２０の円筒体２３の中に係止させれば良い。
【００１６】
ユーザは、バスに乗車する前等に、組み立て終えた固定装置１００をフレキシブル帯体１１を介して腕にはめて、携帯式電子装置を支持する。これにより、片手で携帯式電子装置を操作することができるようになる。また、ユーザは、携帯式電子装置の角度を調整したい場合、連接部品２０を装着部品１０に対して回転させて、連接部品２０の底面に設けられている突起２１１を台座１３の上面の凹溝１３１の中でスライドさせることによって、連接部品２０を適当な角度まで回転させる。これにより、連接部品２０と一体に固定されている電子装置固定部品３０も連動して、前記角度まで回転する。もう１つの方法は、先ず連接部品２０の係合部２１をやや上方へ引っ張って、係合部２１と装着部品１０の台座１３とを互いに分離させた後、係合部２１を適当な角度まで回転させて、係合部２１を下方へ押圧した後、再び係合部２１と台座１３とを互いに係合させれば良い。
【００１７】
図５に示すように、本発明の第二実施形態に係る固定装置２００と第一実施形態に係る固定装置１００との異なる部分は、固定装置１００はバックカバーが平滑でないか又は吸着され難い電子装置に適するが、固定装置２００はバックカバーが平滑であり且つ吸着され易い電子装置に適することである。
【００１８】
具体的には、固定装置２００は、装着部品７０、連接部品８０、及び電子装置固定部品９０を備える。連接部品８０は、装着部品７０に回転可能に取り付けられる。電子装置固定部品９０は、連接部品８０の一端に取り付けられる。
【００１９】
装着部品７０の形状及び構造は、第一実施形態に記載の装着部品１０と同じである。フレキシブル帯体７１は、装着部品７０をユーザの腕に固定させるために用いられる。台座７３は、円盤状を呈し、且つフレキシブル帯体７１の上面に設けられる。台座７３の上面には、互いに間隔をあけて円環状に配列されている複数の半球状の凹溝７３１が設けられている。台座７３の中央部には、収容部７３２が設けられている。複数の凹溝７３１は、収容部７３２を取り囲むように設けられている。さらに、収容部７３２には、弾性部材７３３が装着されている。弾性部材７３３の一端は、収容部７３２の底壁に固定され、弾性部材７３３の他端は、台座７３の上面から突出して、連接部品８０に固定される。
【００２０】
図６を併せて参照すると、連接部品８０は、スリーブ８１、移動板８５、及び固定板８７を含む。スリーブ８１は円柱状を呈し、且つスリーブ８１の一端は円形の開口を有し、他端は閉鎖されている。具体的には、スリーブ８１の他端の表面には、互いに間隔をあけて円環状に配列されている複数の突起８２を備える。複数の突起８２は、台座７３の複数の凹溝７３１とそれぞれ対応する。各突起８２を凹溝７３１内にそれぞれ係合させることによって、連接部品８０を台座７３に固定する。スリーブ８１の一端には、収容凹所８３が設けられている。連接部品８０は、この収容凹所８３を介して電子装置固定部品９０に嵌合されて固定される。
【００２１】
移動板８５及び固定板８７のそれぞれの中央部には、円形の貫通孔８５２、８７２がそれぞれ設けられている。貫通孔８５２、８７２のサイズは、収容凹所８３の開口のサイズとほぼ同じである。固定板８７の一端には、スプリング８７１が装着されている。移動板８５の一端には、固定孔８５１が設けられている。スプリング８７１の一端が固定板８７の固定孔８５１内に掛けられて固定されることによって、移動板８５と固定板８７とは一体に連接される。スプリング８７１によって、移動板８５は固定板８７に対して移動することができる。
【００２２】
図８に示すように、スリーブ８１の外面には、スリーブ８１の側壁を円周方向に沿って貫通した弧状スロット８９が設けられている。スリーブ８１の内部における弧状スロット８９が位置する側の反対側には、装着用スロット８８が設けられている。固定板８７は、接着又は螺着等の方法によって装着用スロット８８内に固定される。移動板８５は、弧状スロット８９内に収容され、且つスプリング８７１を介して固定板８７に連接される。移動板８５及び固定板８７をスリーブ８１内に装着した際、移動板８５は固定板８７の上方に位置し、貫通孔８５２、８７２及び収容凹所８３の円形の開口は互いに重なり合う。
【００２３】
電子装置固定部品９０は、携帯式電子装置を吸着する機能を有する。本実施形態において、電子装置固定部品９０は、一体に成形された吸盤９１及び嵌合部９３を含む。吸盤９１は、携帯式電子装置のバックカバーを吸引して固定する。嵌合部９３は、電球のような形状を有し、連接部品８０の収容凹所８３内に挿入されて、スリーブ８１と一体に固定される。また、嵌合部９３の末端のサイズは、貫通孔８５２及び貫通孔８７２のサイズとほぼ同じである。
【００２４】
電子装置固定部品９０の嵌合部９３を収容凹所８３内に挿入する際、先ず移動板８５を推進して、スプリング８７１を圧縮させながら移動板８５を固定板８７に向けて移動させて、貫通孔８５２と貫通孔８７２とを位置合わせする。その後、嵌合部９３を貫通孔８５２及び貫通孔８７２に貫通させて収容凹所８３内に完全に収容させる。嵌合部９３が収容凹所８３の底部まで到着する際、スプリング８７１は弾性復帰して移動板８５を固定板８７から離れるように押し退ける。これにより、移動板８５は、嵌合部９３を挟持して、嵌合部９３が収容凹所８３から離脱するのを防止する。
【００２５】
以上から分かるように、本発明の第一実施形態に記載の固定装置１００と第二実施形態に記載の固定装置２００との使用方法はやや異なる。携帯式電子装置の背面がより平滑である場合、固定装置２００の電子装置固定部品９０の吸盤９１を使用して携帯式電子装置を緊密に吸着して固定すれば良い。また、携帯式電子装置の背面が吸着され難い場合又は平滑ではない場合、固定装置１００の電子装置固定部品３０の筐体３３によって携帯式電子装置を収容して挟持した後、携帯式電子装置を電子装置固定部品３０の取付部３１と共に連接部品２０に機械的に固定させれば良い。
【００２６】
また、固定装置１００の電子装置固定部品３０又は固定装置２００の電子装置固定部品９０のサイズを変えることによって、固定装置１００、２００を異なるサイズの携帯式電子装置に適用させることもできる。
【符号の説明】
【００２７】
１００、２００  固定装置
１０、７０  装着部品
１１、７１  フレキシブル帯体
１３、７３  台座
１３１、７３１  凹溝
１３２、７３２  収容部
１３３、７３３  弾性部材
２０、８０  連接部品
２１  係合部
２１１、８２  突起
２３  円筒体
２３１  収容空洞部
２３３  係止ブロック
３０、９０  電子装置固定部品
３１  取付部
３１１  ヘッド部
３１３  首部
３１５  ベース部
３３  筐体
８１  スリーブ
８３  収容凹所
８５  移動板
８５１  固定孔
８７  固定板
８７１  スプリング
８５２、８７２  貫通孔
８８  装着用スロット
８９  弧状スロット
９１  吸盤
９３  嵌合部
【図１】
2015104124.tif 000003
【図２】
2015104124.tif 000004
【図３】
2015104124.tif 000005
【図４】
2015104124.tif 000006
【図５】
2015104124.tif 000007
【図６】
2015104124.tif 000008
【図７】
2015104124.tif 000009
【図８】
2015104124.tif 000010